【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
画像出力装置とデータ通信可能な画像入力装置において、
原稿に対する画像編集処理を指定する指定手段と、
前記原稿から画像データを読み取る読み取り手段と、
前記読み取り手段により読み取られる原稿の画像データを記憶する記憶手段と、
前記画像データに対して原稿の向きを検知する原稿向き検知手段と、
前記原稿向き検知手段での検知結果及び前記指定手段による画像編集処理指定を前記画像出力装置へ送信する第１の送信手段と、
前記記憶手段に記憶された画像データを読み出して前記画像出力装置へ送信する第２の送信手段と、
を有することを特徴とする画像入力装置。
【請求項２】
画像入力装置とデータ通信可能な画像出力装置において、
前記画像入力装置より受信した原稿向き検知結果に基づいて、前記画像入力装置より受信した画像データに対して、前記画像入力装置より受信した画像編集処理指定に応じた画像処理を施す画像処理手段と、
前記画像処理手段により画像処理された画像データをプリント出力する出力手段と、
を有することを特徴とする画像出力装置。
【請求項３】
画像入力装置にて入力した画像データを、前記画像入力装置とデータ通信可能な画像出力装置にて出力可能な画像形成システムにおいて、
前記画像入力装置は、
原稿に対する画像編集処理を指定する指定手段と、
前記原稿から画像データを読み取る読み取り手段と、
前記読み取り手段により読み取られる原稿の画像データを記憶する記憶手段と、
前記画像データに対して原稿の向きを検知する原稿向き検知手段と、
前記原稿向き検知手段での検知結果及び前記指定手段による画像編集処理指定を前記画像出力装置へ送信する第１の送信手段と、
前記記憶手段に記憶された画像データを読み出して前記画像出力装置へ送信する第２の送信手段とを有するものであり、
前記画像出力装置は、
前記画像入力装置より受信した原稿向き検知結果に基づいて、前記画像入力装置より受信した画像データに対して、前記画像入力装置より受信した画像編集処理指定に応じた画像処理を施す画像処理手段と、
前記画像処理手段により画像処理された画像データをプリント出力する出力手段と、
を有することを特徴とする画像形成システム。
【請求項４】
画像出力装置とデータ通信可能な画像入力装置の制御方法において、
原稿に対する画像編集処理を指定する指定ステップと、
前記原稿から画像データを読み取る読み取りステップと、
前記読み取り工程により読み取られる原稿の画像データをメモリに記憶する記憶ステップと、
前記画像データに対して原稿の向きを検知する原稿向き検知ステップと、
前記原稿向き検知ステップでの検知結果及び前記指定ステップでの画像編集処理指定を前記画像出力装置へ送信する第１の送信ステップと、
前記メモリに記憶された画像データを読み出して前記画像出力装置へ送信する第２の送信ステップと、
を有することを特徴とする画像入力装置の制御方法。
【請求項５】
画像入力装置と通信可能な画像出力装置の制御方法において、
前記画像入力装置より受信した原稿向き検知結果に基づいて、前記画像入力装置より受信した画像データに対して、前記画像入力装置より受信した画像編集処理指定に応じた画像処理を施す画像処理ステップと、
該画像処理された画像データをプリント出力する出力ステップと、
を有することを特徴とする画像出力装置の制御方法。
【請求項６】
画像データを入力可能な入力手段及びデータ通信可能な通信手段を少なくとも有する第１デバイスと、データ通信可能な通信手段及び画像データを出力可能な出力手段を少なくとも有する第２デバイスとを含む画像処理システムであって、
前記第１デバイスに入力した画像データを、前記通信手段を介してデータ通信して、前記第２デバイスで出力させる為のリモート出力モードをセットするリモート出力モード設定手段と、
前記第１デバイスに入力した画像データの向き情報を前記第１デバイスに獲得させる向き情報獲得制御手段と、
前記リモート出力モードにて前記第２デバイスで出力させるべき画像データを前記第１デバイスから前記第２デバイスに送信すると共に、前記第１デバイスが獲得した前記向き情報を前記第２デバイスに送信するよう制御する送信制御手段と、
前記第１デバイスから送信された画像データ及び前記向き情報を前記第２デバイスに受信させる受信制御手段と、
前記第１デバイスから受信した画像データを前記第１デバイスから受信した前記向き情報に従って画像処理するよう前記第２デバイスを制御する画像処理制御手段と、
前記第２デバイスにより画像処理済の画像データを前記第２デバイスに出力させる制御手段と、
を有することを特徴とする画像処理システム。
【請求項７】
画像データを入力可能な入力手段及びデータ通信可能な通信手段を少なくとも有する第１デバイスと、データ通信可能な通信手段及び画像データを出力可能な出力手段を少なくとも有する第２デバイスとを含む画像処理システムであって、
前記第１デバイスに入力した画像データを、前記通信手段を介してデータ通信して、前記第２デバイスで出力させる為のリモート出力モードをセットするリモート出力モード設定手段と、
前記第１デバイスに入力した画像データの向き情報を前記第１デバイスに獲得させる向き情報獲得制御手段と、
前記リモート出力モードにおいて、前記第１デバイスから送信された画像データを、前記第１デバイスで獲得した前記向き情報に従った出力形態で、前記第２デバイスにより出力させる制御手段と、
を有することを特徴とする画像処理システム。
【請求項８】
画像データを入力可能な入力手段及びデータ通信可能な通信手段とを少なくとも有する第１デバイスと、データ通信可能な通信手段及び画像データを出力可能な出力手段を少なくとも有する第２デバイスとを含む画像処理システムの制御方法であって、
前記第１デバイスに入力した画像データを、前記通信手段を介してデータ通信して、前記第２デバイスで出力させる為のリモート出力モードをセットするリモート出力モード設定ステップと、
前記第１デバイスに入力した画像データの向き情報を前記第１デバイスに獲得させる向き情報獲得制御ステップと、
前記リモート出力モードにおいて、前記第１デバイスから送信された画像データを、前記第１デバイスで獲得した前記向き情報に従った出力形態で、前記第２デバイスにより出力させる制御ステップと、
を有することを特徴とする画像処理システムの制御方法。
【請求項９】
前記制御ステップは、前記リモート出力モードにおいて、画像データの回転処理を要する第１の画像形成モードが設定された場合に、前記第１デバイスから送信された画像データを、前記第１デバイスで獲得した前記向き情報に従った出力形態で、前記第２デバイスにより出力させる第１シーケンスを実行可能にし、前記リモート出力モードにおいて、画像データの回転処理を要さない第２の画像形成モードが設定された場合に、前記第１シーケンスを禁止して、前記第１デバイスから送信された画像データを、前記画像データの向き情報に依らない出力形態で、前記第２デバイスにより出力させる第２シーケンスを実行可能にすることを特徴とする請求項８記載の画像処理システムの制御方法。
【請求項１０】
前記制御ステップは、前記リモート出力モードにおいて、ステイプルモード及びページ印字モード及び縮小レイアウトモード及びパンチモードの少なくと何れかの画像形成モードが設定された場合に、前記第１デバイスから送信された画像データを、前記第１デバイスで獲得した前記向き情報に従った出力形態で、前記第２デバイスにより出力させる第１シーケンスを実行可能にし、前記リモート出力モードにおいて、ノンソートモードが設定された場合に、前記第１シーケンスを禁止して、前記第１デバイスから送信された画像データを、前記画像データの向き情報に依らない出力形態で、前記第２デバイスにより出力させる第２シーケンスを実行可能にすることを特徴とする請求項８又は９記載の画像処理システムの制御方法。
【請求項１１】
前記制御ステップは、前記リモート出力モードにおいて、前記第１デバイスから送信された複数ページからなる一連の画像データを、前記第１デバイスで獲得した前記向き情報に従った画像向きで、前記第２デバイスにより出力可能とし、
前記制御ステップは、前記リモート出力モードにおいて、前記複数ページからなる一連の画像データの各ページ毎に獲得した向き情報に従って前記複数ページからなる一連の画像データを処理させる第１モードと、前記リモート出力モードにおいて、前記複数ページからなる一連の画像データの所定ページの向き情報に従って前記複数ページからなる一連の画像データを処理させる第２モードとを、選択的に実行可能にすることを特徴とする請求項８〜１０のいずれかに記載の画像処理システムの制御方法。
【請求項１２】
前記制御ステップは、前記リモート出力モードにおいて、前記第１デバイスに入力された画像データに対して前記第１デバイスで獲得した前記向き情報に従った画像処理を施した処理済画像データを前記第１デバイスで生成させたうえで前記第２デバイスで該処理済画像データを出力させる第１処理モードと、前記リモート出力モードにおいて、前記第１デバイスに入力された画像データに対して前記第１デバイスで獲得した前記向き情報に従った画像処理を施した処理済画像データを前記第２デバイスで生成させて前記第２デバイスで該処理済画像データを出力させる第２処理モードとを、選択的に実行可能にすることを特徴とする請求項８〜１１のいずれかに記載の画像処理システムの制御方法。
【請求項１３】
前記制御ステップは、前記リモート出力モードにおいて、前記第１デバイスから送信された複数ページからなる一連の画像データを、前記第１デバイスで獲得した前記向き情報に従った出力形態で、前記第２デバイスにより出力させる場合において、前記第１デバイスから前記第２デバイスに対してページ単位でデータ転送させる第１転送モードと、前記第１デバイスに前記一連の画像データの全ページを格納させたうえで前記第１デバイスから前記第２デバイスに対して全ページの画像データをまとめて転送させる第２転送モードとを、選択的に実行可能にすることを特徴とする請求項８〜１２のいずれかに記載の画像処理システムの制御方法。
【請求項１４】
前記第１デバイス及び前記第２デバイスは、夫々、画像入力ユニット、原稿向き検知ユニット、複数ページ分の画像データを記憶可能な記憶ユニット、プリンタユニットを具備することを特徴とする請求項８〜１３のいずれかに記載の画像処理システムの制御方法。
【請求項１５】
前記第１デバイス及び前記第２デバイスの少なくとも何れかのデバイスは、コピー機能及びプリンタ機能及びファクシミリ機能及びボックス機能及びネットワークスキャナ機能の少なくとも何れかの機能を含む複数の機能を有する複合機能装置であることを特徴とする請求項８〜１４のいずれかに記載の画像処理システムの制御方法。
【請求項１６】
前記第１デバイス及び前記第２デバイスの少なくとも何れかのデバイスは、コピー機能及びプリンタ機能及びファクシミリ機能及びボックス機能及びネットワークスキャナ機能の少なくとも何れかの機能を有する単一機能装置であることを特徴とする請求項８〜１５のいずれかに記載の画像処理システムの制御方法。
【請求項１７】
画像データを入力可能な入力手段及びデータ通信可能な通信手段を少なくとも有する第１デバイスと、データ通信可能な通信手段及び画像データをプリント可能なプリント手段を少なくとも有する第２デバイスとを含む画像処理システムの制御方法であって、
前記第１デバイスに入力した画像データを、前記通信手段を介してデータ通信して、前記第２デバイスでプリントさせる為のリモートプリントモードをセットするリモートプリントモード設定ステップと、
入力した画像データと共にページ番号情報を記録紙にプリントさせる為のページ印字モードをセットするページ印字モード設定ステップと、
前記ページ印字モードにおいて記録紙にプリントさせるページ番号情報の記録紙における印字位置を設定する為のページ印字モード詳細設定ステップと、
前記リモートプリントモード設定ステップで前記リモートプリントモードが設定され、且つ、前記ページ印字モード設定ステップで前記ページ印字モードが設定され、且つ、前記ページ印字詳細設定ステップで記録紙の右下にページ番号情報を印字する設定がなされ、且つ、前記リモートプリントモードで処理すべき前記第１デバイスに入力された画像データが下向きの状態の画像データの場合に、前記下向き状態の画像データを上向きの状態に画像回転させた処理済画像データを前記第２デバイスのプリント手段により記録紙に印字させるように制御すると共に前記処理済画像データを印字する記録紙の右下に該処理済画像データのページ番号情報が印字されるように制御する制御ステップと、
を有することを特徴とする制御方法。
【請求項１８】
画像データを入力可能な入力手段及びデータ通信可能な通信手段を少なくとも有する第１デバイスと、データ通信可能な通信手段及び画像データをプリント可能なプリント手段を少なくとも有する第２デバイスとを含む画像処理システムの制御方法であって、
前記第１デバイスに入力した画像データを、前記通信手段を介してデータ通信して、前記第２デバイスでプリントさせる為のリモートプリントモードをセットするリモートプリントモード設定ステップと、
入力した画像データが印字された記録紙に対してステイプル処理を実行させる為のステイプルモードをセットするステイプルモード設定ステップと、
前記ステイプルモードにおいて記録紙におけるステイプル位置を設定する為のステイプルモード詳細設定ステップと、
前記リモートプリントモード設定ステップで前記リモートプリントモードが設定され、且つ、前記ステイプルモード設定ステップで前記ステイプルモードが設定され、且つ、前記ステイプルモード詳細設定ステップで記録紙の左上にステイプル処理を施す設定がなされ、且つ、前記リモートプリントモードで処理すべき前記第１デバイスに入力された画像データが下向きの状態の画像データの場合に、前記下向き状態の画像データを上向きの状態に画像回転させた処理済画像データを前記第２デバイスのプリント手段により記録紙に印字させるように制御すると共に前記処理済画像データが印字された記録紙の左上にステイプル処理を施すよう前記第２デバイスを制御する制御ステップと、
を有することを特徴とする制御方法。
【請求項１９】
画像データを入力可能な入力手段及びデータ通信可能な通信手段を少なくとも有する第１デバイスと、データ通信可能な通信手段及び画像データをプリント可能なプリント手段を少なくとも有する第２デバイスとを含む画像処理システムであって、
前記第１デバイスに入力した画像データを、前記通信手段を介してデータ通信して、前記第２デバイスでプリントさせる為のリモートプリントモードをセットするリモートプリントモード設定手段と、
入力した画像データと共にページ番号情報を記録紙にプリントさせる為のページ印字モードをセットするページ印字モード設定手段と、
前記ページ印字モードにおいて記録紙にプリントさせるページ番号情報の記録紙における印字位置を設定する為のページ印字モード詳細設定手段と、
前記リモートプリントモード設定手段により前記リモートプリントモードが設定され、且つ、前記ページ印字モード設定手段により前記ページ印字モードが設定され、且つ、前記ページ印字詳細設定手段により記録紙の右下にページ番号情報を印字する設定がなされ、且つ、前記リモートプリントモードで処理すべき前記第１デバイスに入力された画像データが下向きの状態の画像データの場合に、前記下向き状態の画像データを上向きの状態に画像回転させた処理済画像データを前記第２デバイスのプリント手段により記録紙に印字させるように制御すると共に前記処理済画像データを印字する記録紙の右下に該処理済画像データのページ番号情報が印字されるように制御する制御手段と、
を有することを特徴とする画像処理システム。
【請求項２０】
画像データを入力可能な入力手段及びデータ通信可能な通信手段を少なくとも有する第１デバイスと、データ通信可能な通信手段及び画像データをプリント可能なプリント手段を少なくとも有する第２デバイスとを含む画像処理システムであって、
前記第１デバイスに入力した画像データを、前記通信手段を介してデータ通信して、前記第２デバイスでプリントさせる為のリモートプリントモードをセットするリモートプリントモード設定手段と、
入力した画像データが印字された記録紙に対してステイプル処理を実行させる為のステイプルモードをセットするステイプルモード設定手段と、
前記ステイプルモードにおいて記録紙におけるステイプル位置を設定する為のステイプルモード詳細設定手段と、
前記リモートプリントモード設定手段により前記リモートプリントモードが設定され、且つ、前記ステイプルモード設定手段により前記ステイプルモードが設定され、且つ、前記ステイプルモード詳細設定手段により記録紙の左上にステイプル処理を施す設定がなされ、且つ、前記リモートプリントモードで処理すべき前記第１デバイスに入力された画像データが下向きの状態の画像データの場合に、前記下向き状態の画像データを上向きの状態に画像回転させた処理済画像データを前記第２デバイスのプリント手段により記録紙に印字させるように制御すると共に前記処理済画像データが印字された記録紙の左上にステイプル処理を施すよう前記第２デバイスを制御する制御手段と、
を有することを特徴とする画像処理システム。
【請求項２１】
請求項４，５，８〜１８のいずれかに記載の制御方法を実行するためのプログラム。
【請求項２２】
請求項４，５，８〜１８のいずれかに記載の制御方法を実行するためのプログラムをコンピュータが読み取り可能に記憶した記憶媒体。